(57)【要約】      （修正有）【課題】  ＤＶＤメディアを記録媒体としたディスクムービーにおいて、撮影されたデータを一般的なＤＶＤプレーヤーで再生する際、できる限りＣＰＵに負荷をかけずに、撮影された人物の個人情報及び撮影された日時を、撮影中に確認することのできる情報記録再生装置を提供する。【解決手段】  映像、音声を取り込む入力手段を有する情報記録再生装置において、入力手段で入力されたデータを圧縮する圧縮手段１０３と、副映像を生成する副映像生成手段１０９と、前記圧縮手段で生成された前記圧縮データと、前記副映像生成手段で生成された前記副映像とを用いて、副映像情報を含むストリームを生成するストリーム生成手段１１１とを有し、副映像生成手段１０９で複数の撮影されている人物の個人情報及び撮影されている日時情報に関するブロック副映像を生成し、それらブロック副映像を組み合わせて、副映像を生成し、ＭＰＥＧストリームと副映像とを多重化する。【選択図】  図１
2006222545.tif 000002
【特許請求の範囲】
【請求項１】
映像、音声を取り込む入力手段で入力された映像、音声、さらには副映像を記録媒体に記録し、これより前記映像、音声、および前記副映像を再生する情報記録再生装置において、
前記入力手段で入力された映像、音声を圧縮し、圧縮データを生成する圧縮手段と、
副映像を生成する副映像生成手段と、
前記圧縮手段で生成された圧縮データと、前記副映像生成手段で生成された副映像とを用いて、副映像情報を含むストリームを生成するストリーム生成手段と、
前記ストリーム生成手段で生成されたストリームを、前記記録媒体に記録する記録手段と、
前記記録媒体に記録されたストリームより前記映像、音声、および前記副映像を再生する再生手段とを有し、
前記副映像生成手段は、副映像を構成するブロック副映像を生成し、該ブロック副映像から前記副映像を生成する、
ことを特徴とする情報記録再生装置。
【請求項２】
請求項１記載の情報記録再生装置において、
前記ブロック副映像のうちの少なくとも１つは、前記ストリーム生成手段においてストリームを生成している間、一定の画像である、
ことを特徴とする情報記録再生装置。
【請求項３】
請求項１または２記載の情報記録再生装置において、
前記副映像生成手段は、その生成した前記ブロック副映像を、予めそれぞれ圧縮して、ブロック副映像圧縮データを生成し、該ブロック副映像圧縮データを用いて前記副映像を生成する、
ことを特徴とする情報記録再生装置。
【請求項４】
請求項３記載の情報記録再生装置において、
前記ブロック副映像圧縮データは、ランレングス圧縮されたデータである、
ことを特徴とする情報記録再生装置。
【請求項５】
請求項１ないし４のいずれかに記載の情報記録再生装置において、
前記副映像生成手段は、複数の前記ブロック副映像を組み合わせて、１つ以上の副映像を生成する、
ことを特徴とする情報記録再生装置。
【請求項６】
請求項１ないし５のいずれかに記載の情報記録再生装置において、
前記副映像生成手段は、前記副映像を１つ以上生成し、すべての副映像を含む前記ストリームを、前記記録媒体に記録する、
ことを特徴とする情報記録再生装置。
【請求項７】
請求項１ないし５のいずれかに記載の情報記録再生装置において、
ユーザー入力に応じて、１つ以上の前記副映像のうち少なくとも１つを選択する副映像選択手段を有し、
前記ストリーム生成手段は、前記副映像選択手段で選択された副映像を含むストリームを生成する、
ことを特徴とする情報記録方法。
【請求項８】
請求項１ないし７のいずれかに記載の情報記録再生装置において、
前記ストリーム生成手段は、前記映像と音声の圧縮データと、前記副映像とを多重化して、前記多重化ストリームを生成する、
ことを特徴とする情報記録再生装置。
【請求項９】
請求項８記載の情報記録再生装置において、
前記多重化ストリームは、ＭＰＥＧストリームである、
ことを特徴とする情報記録再生装置。
【請求項１０】
請求項１ないし９のいずれかに記載の情報記録再生装置において、
１つ以上の前記副映像のうちの１つを、再生時に自動的に表示されるデフォルト副映像として選択するデフォルト副映像選択手段を有し、
前記ストリーム生成手段は、前記デフォルト副映像選択手段で選択された前記デフォルト副映像をデフォルトとするデフォルト副映像情報を含む、前記ストリームを生成する、
ことを特徴とする情報記録再生装置。
【請求項１１】
請求項１０記載の情報記録再生装置において、
前記デフォルト副映像選択手段は、ユーザーの入力に応じて前記デフォルト副映像を選択する、
ことを特徴とする情報記録再生装置。
【請求項１２】
請求項１１記載の情報記録再生装置において、
前記デフォルト副映像選択手段は、ユーザーの入力に応じて初期値としての前記デフォルト副映像を指定する、
ことを特徴とする情報記録再生装置。
【請求項１３】
請求項１１または１２記載の情報記録再生装置において、
前記デフォルト副映像選択手段は、前記ストリーム生成手段が前記ストリームを生成している間に、ユーザーの入力に応じて前記デフォルト副映像を選択可能であり、前記デフォルト副映像情報を変更可能である、
ことを特徴とする情報記録再生装置。
【請求項１４】
請求項１ないし１３のいずれかに記載の情報記録再生装置において、
前記ストリーム生成手段は、再生時に前記副映像を非表示にする副映像非表示情報を、前記ストリーム内に挿入可能である、
ことを特徴とする情報記録再生装置。
【請求項１５】
請求項１ないし１４のいずれかに記載の情報記録再生装置において、
前記録対象情報を入力する記録対象情報入力手段を有し、
前記副映像生成手段は、前記記録対象情報入力手段で入力される前記記録対象情報を用いて、前記副映像を生成する、
ことを特徴とする情報記録再生装置。
【請求項１６】
請求項１５記載の情報記録再生装置において、
前記記録対象情報は、記録対象を表す名称である、
ことを特徴とする情報記録再生装置。
【請求項１７】
請求項１５記載の情報記録再生装置において、
前記記録対象情報は、記録対象の発生時を表す情報である、
ことを特徴とする情報記録再生装置。
【請求項１８】
請求項１５記載の情報記録再生装置において、
前記記録対象情報は、個人もしくは家族の名称である、
ことを特徴とする情報記録再生装置。
【請求項１９】
請求項１５記載の情報記録再生装置において、
前記記録対象情報は、個人もしくは家族の出生時を表す情報である、
ことを特徴とする情報記録再生装置。
【請求項２０】
請求項１ないし１９のいずれかに記載の情報記録再生装置において、
時刻を計測する計時手段を有し、
前記記録対象情報と、前記計時手段とから、前記記録対象の発生時もしくは出生時からの年月を計算する、
ことを特徴とする情報記録再生装置。
【請求項２１】
請求項１ないし２０のいずれかに記載の情報記録再生装置において、
前記発生時もしくは出生時からの年月を、前記副映像に用いる、
ことを特徴とする情報記録再生装置。
【請求項２２】
請求項２０または２１記載の情報記録再生装置において、
前記発生時もしくは出生時からの年月は、年齢もしくは学年である、
ことを特徴とする情報記録再生装置。
【請求項２３】
請求項１ないし２２のいずれかに記載の情報記録再生装置において、
前記一定の画像に、前記記録対象情報と、前記発生時もしくは出生時からの年月のうち少なくとも１つを用いる、
ことを特徴とする情報記録再生装置。
【請求項２４】
請求項１ないし２３のいずれかに記載の情報記録再生装置において、
前記記録媒体は、ランダムアクセス可能な、光ディスクもしくは磁気ディスクもしくは半導体メモリである、
ことを特徴とする情報記録再生装置。
【請求項２５】
請求項１ないし２４のいずれかに記載の情報記録再生装置であって、
該情報記録再生装置は、入力手段として映像撮像装置を有するデジタルカメラである、
ことを特徴とする情報記録再生装置。
【請求項２６】
映像、音声を取り込む入力手段で入力された映像、音声、さらには副映像を記録媒体に記録し、これより前記映像、音声、および前記副映像を再生する情報記録再生装置における情報記録再生方法であって、
前記入力手段で入力された映像、音声を圧縮して、圧縮データを生成し、
副映像を構成するブロック副映像を生成し、該ブロック副映像から副映像を生成し、
前記圧縮データと、前記副映像とを用いて、副映像情報を含むストリームを生成し、
前記副映像情報を含むストリームを前記記録媒体に記録し、
前記記録媒体に記録されたストリームより前記映像、音声および前記副映像を再生する、
ことを特徴とする情報記録再生方法。
【発明の詳細な説明】
【技術分野】
【０００１】
本発明は記録型ＤＶＤディスクを用いた情報記録再生装置、情報記録再生方法、及びデジタルカメラに関し、特にディスクムービーにおけるカメラ部から入力された映像、音声信号を圧縮し、圧縮された映像、音声にＤＶＤ  Ｖｉｄｅｏ規格、もしくはＤＶＤビデオレコーディング規格におけるサブピクチャを多重化する、情報記録再生装置、情報記録再生方法、及びデジタルカメラに関するものである。
【背景技術】
【０００２】
近年、映像や音声などをデジタル圧縮して記録を行うＤＶＤが普及しており、例えばＴＶ放送の記録を行うＤＶＤレコーダや、ＤＶＤを記録メディアとするディスクムービー等に幅広く利用されている。これにより、従来のＶＴＲでは記録されたものを頭から順に再生することしかできなかったものが、ＤＶＤにより見たいシーンから瞬時に再生できる機能や、簡単に編集を行うことができる編集機能などを提供できるようになっている。
【０００３】
これら映像や音声を効率的に蓄積・伝送するための情報圧縮技術として、ＭＰＥＧ（Ｍｏｖｉｎｇ  Ｐｉｃｔｕｒｅ  Ｅｘｐｅｒｔｓ  Ｇｒｏｕｐ）がある。ＭＰＥＧでは、映像や音声などのデジタルコンテンツを構成する要素となる複数のデジタル信号を、一つのビットストリームに多重化するときの信号の構成をシステムの規格として定めている。また、動画を記録するためにファイル名称やディレクトリ構造、データ形式などのアプリケーションフォーマットであるＤＶＤビデオレコーディング規格や、ＤＶＤ  Ｖｉｄｅｏ規格が定められており、ＤＶＤ−ＲＡＭや、ＤＶＤ−Ｒなどの記録メディアへの記録が可能となっている。上記規格では、早送り、巻き戻しなどの特殊再生をサポートするための情報データを持つことにより、スムーズに特殊再生を行えるようにしている。さらに、主映像の他に、ＤＶＤビデオレコーディング規格では１個の副映像であるサブピクチャ、ＤＶＤ  Ｖｉｄｅｏ規格では３２個のサブピクチャを挿入することを可能としている。それらサブピクチャを再生する際、サブピクチャを表示するか否かの選択が可能であり、また、ＤＶＤ  Ｖｉｄｅｏ規格においては、３２個のサブピクチャのうちの１つを選択し、再生することが可能である。
【０００４】
従来の特許公開公報に開示された技術では、ディジタルビデオカメラ等で記録されたデータを記録可能なＤＶＤメディアへダビングを行う際、ディジタルビデオカメラで記録された日時情報を読み出し、その日時情報を上記規格におけるサブピクチャ機能を利用して、ＤＶＤメディアへ記録している（例えば特許文献１参照。）。
【特許文献１】特開２００４−２０１１００号公報（第２−８頁、第１−５図）
【発明の開示】
【発明が解決しようとする課題】
【０００５】
従来、ディジタルビデオカメラでは撮影した映像、音声に加え、日時情報を媒体に記録している。その記録された映像、音声、及び日時情報を再生する際、ディジタルビデオカメラで再生を行い、その出力をテレビ等のモニタに接続し視聴する必要があった。そこで、近年記録媒体としてＤＶＤ−ＲＡＭ、ＤＶＤ−Ｒを用いたディスクムービーが出てきており、ＤＶＤ−ＲＡＭ、ＤＶＤ−Ｒを一般的なＤＶＤプレーヤーで再生できるようになった。上記ディスクムービーでは、タイトルに日時情報を挿入することにより、ユーザーに撮影された日時を知らせていた。しかしながら、ユーザーとしては、映像、音声を再生中に日時情報を知りたい場合がある。また、日時情報だけでなく、撮影されている人物の個人名、「長男」や「次男」といった個人を特定できる情報、誕生日、年齢、学年等の個人情報も知りたい場合がある。そこで、ＤＶＤ  Ｖｉｄｅｏ規格、ＤＶＤビデオレコーディング規格におけるサブピクチャに、日時情報や個人情報を挿入する方法が考えられる。特許文献１では、磁気テープを媒体としたディジタルビデオカメラで記録された映像、音声、及び日時情報をＤＶＤ−ＲＡＭ、ＤＶＤ−Ｒにコピーする際に、日時情報をディジタルビデオカメラから読み取り、その日時情報をもとにサブピクチャを生成し、ストリームに挿入するような構成をしている。この特許文献１の構成では、サブピクチャとしてストリームに日時情報を挿入する際には、日時情報が更新される毎にサブピクチャ画像全体を生成し、圧縮を行い、ストリームに挿入していた。また、ディスクムービーで撮影中に、個人情報と日時情報をサブピクチャとしてストリームに挿入する際には、リアルタイムにサブピクチャ画像を生成し、ストリームに挿入する必要があった。
【０００６】
しかるに、このように、個人情報と日時情報の両方をサブピクチャとしてストリームに挿入する場合、特許文献１の構成で日時情報が更新される毎にサブピクチャを生成することは、ＣＰＵの負荷が大変大きいものであった。
【０００７】
その上、ＤＶＤ  Ｖｉｄｅｏ規格では３２個のサブピクチャを挿入することが可能であり、ディスクムービーで撮影中に複数のサブピクチャをリアルタイムに生成し、ストリームに挿入する場合、日時情報が更新される毎に複数のサブピクチャ画像全体を生成し、ストリームに挿入することは、ＣＰＵの負荷が大変大きいものであった。
【０００８】
この発明は、上記のような従来の問題点に鑑みてなされたもので、サブピクチャ画像の生成においてＣＰＵに対する負荷を大幅に軽減することのできる情報記録再生装置、および情報記録再生方法を提供することを目的としている。
【課題を解決するための手段】
【０００９】
前記従来の課題を解決するために、本発明の請求項１にかかる情報記録再生装置は、映像、音声を取り込む入力手段で入力された映像、音声、さらには副映像を記録媒体に記録し、これより前記映像、音声、および前記副映像を再生する情報記録再生装置において、前記入力手段で入力された映像、音声を圧縮し、圧縮データを生成する圧縮手段と、副映像を生成する副映像生成手段と、前記圧縮手段で生成された圧縮データと、前記副映像生成手段で生成された副映像とを用いて、副映像情報を含むストリームを生成するストリーム生成手段と、前記ストリーム生成手段で生成されたストリームを、前記記録媒体に記録する記録手段と、前記記録媒体に記録されたストリームより前記映像、音声、および前記副映像を再生する再生手段とを有し、前記副映像生成手段は、副映像を構成するブロック副映像を生成し、該ブロック副映像から前記副映像を生成する、ことを特徴としたものである。
【００１０】
さらに、請求項１記載の情報記録再生装置において、前記ブロック副映像のうち少なくとも１つは前記ストリーム生成手段においてストリームを生成している間、一定の画像である、ことを特徴としたものである。
【００１１】
さらに、請求項１または２記載の情報記録再生装置において、前記副映像生成手段は、その生成した前記ブロック副映像を、予めそれぞれ圧縮して、ブロック副映像圧縮データを生成し、前記ブロック副映像圧縮データを用いて前記副映像を生成する、ことを特徴としたものである。
【００１２】
さらに、請求項３記載の情報記録再生装置において、前記ブロック副映像圧縮データは、ランレングス圧縮されたデータである、ことを特徴としたものである。
【００１３】
さらに、請求項１ないし４のいずれかに記載の情報記録再生装置において、前記副映像生成手段は、複数の前記ブロック副映像を組み合わせて、１つ以上の副映像を生成する、ことを特徴としたものである。
【００１４】
さらに、請求項１ないし５のいずれかに記載の情報記録再生装置において、前記副映像生成手段は、前記副映像を１つ以上生成し、すべての副映像を含む前記ストリームを、前記記録媒体に記録する、ことを特徴としたものである。
【００１５】
さらに、請求項１ないし５のいずれかに記載の情報記録再生装置において、ユーザー入力に応じて、１つ以上の前記副映像のうち少なくとも１つを選択する副映像選択手段を有し、前記ストリーム生成手段は、前記副映像選択手段で選択された副映像を含むストリームを生成する、ことを特徴としたものである。
【００１６】
さらに、請求項１ないし７のいずれかに記載の情報記録再生装置において、前記ストリーム生成手段は、前記映像と音声の圧縮データと、前記副映像とを多重化して、前記多重化ストリームを生成する、ことを特徴としたものである。
【００１７】
さらに、請求項８記載の情報記録再生装置において、前記多重化ストリームは、ＭＰＥＧストリームである、ことを特徴としたものである。
【００１８】
さらに、請求項１ないし９のいずれかに記載の情報記録再生装置において、１つ以上の前記副映像のうち１つを、再生時に自動的に表示されるデフォルト副映像として選択するデフォルト副映像選択手段を有し、前記ストリーム生成手段は、前記デフォルト副映像選択手段で選択された前記デフォルト副映像をデフォルトとするデフォルト副映像情報を含む、前記ストリームを生成する、ことを特徴としたものである。
【００１９】
さらに、請求項１０記載の情報記録再生装置において、前記デフォルト副映像選択手段は、ユーザーの入力に応じて画前記デフォルト副映像を選択する、ことを特徴としたものである。
【００２０】
さらに、請求項１１記載の情報記録再生装置において、前記デフォルト副映像選択手段は、ユーザーの入力に応じて初期値としての前記デフォルト副映像を指定する、ことを特徴としたものである。
【００２１】
さらに、請求項１１または１２記載の情報記録再生装置において、前記デフォルト副映像選択手段は、前記ストリーム生成手段が前記ストリームを生成している間に、ユーザーの入力に応じて前記デフォルト副映像を選択可能であり、前記デフォルト副映像情報を変更可能である、ことを特徴としたものである。
【００２２】
さらに、請求項１ないし１３のいずれかに記載の情報記録再生装置において、前記ストリーム生成手段は、再生時に前記副映像を非表示にする副映像非表示情報を、前記ストリーム内に挿入可能である、ことを特徴としたものである。
【００２３】
さらに、請求項１ないし１４のいずれかに記載の情報記録再生装置において、記録対象情報を入力する記録対象情報入力手段を有し、前記副映像生成手段は、前記記録対象情報入力手段で入力される前記記録対象情報を用いて、前記副映像を生成する、ことを特徴としたものである。
【００２４】
さらに、請求項１５記載の情報記録再生装置において、前記記録対象情報は、記録対象を表す名称である、ことを特徴としたものである。
【００２５】
さらに、請求項１５記載の情報記録再生装置において、前記記録対象情報は、記録対象の発生時を表す情報である、ことを特徴としたものである。
【００２６】
さらに、請求項１５記載の情報記録再生装置において、前記記録対象情報は、個人もしくは家族の名称である、ことを特徴としたものである。
【００２７】
さらに、請求項１５記載の情報記録再生装置において、前記記録対象情報は、個人もしくは家族の出生時を表す情報である、ことを特徴としたものである。
【００２８】
さらに、請求項１ないし１９のいずれかに記載の情報記録再生装置において、時刻を計測する計時手段を有し、前記記録対象情報と、前記計時手段とから、前記記録対象の発生時もしくは出生時からの年月を計算する、ことを特徴としたものである。
【００２９】
さらに、請求項１ないし２０のいずれかに記載の情報記録再生装置において、前記発生時もしくは出生時からの年月を、前記副映像に用いる、ことを特徴としたものである。
【００３０】
さらに、請求項２０または２１記載の情報記録再生装置において、前記発生時もしくは出生時からの年月は、年齢もしくは学年である、ことを特徴としたものである。
【００３１】
さらに、請求項１ないし２２のいずれかに記載の情報記録再生装置において、前記一定の画像に、前記記録対象情報と、前記発生時もしくは出生時からの年月のうち少なくとも１つを用いる、ことを特徴としたものである。
【００３２】
さらに、請求項１ないし２３のいずれかに記載の情報記録再生装置において、前記記録媒体は、ランダムアクセス可能な、光ディスクもしくは磁気ディスクもしくは半導体メモリである、ことを特徴としたものである。
【００３３】
さらに、請求項１ないし２４のいずれかに記載の情報記録再生装置であって、該情報記録再生装置は、入力手段として映像撮像装置を有するデジタルカメラである、ことを特徴としたものである。
【００３４】
さらに、映像、音声を取り込む入力手段で入力された映像、音声、さらには副映像を記録媒体に記録し、これより前記映像、音声、および前記副映像を再生する情報記録再生装置における情報記録再生方法であって、前記入力手段で入力された映像、音声を圧縮して、圧縮データを生成し、副映像を構成するブロック副映像を生成し、該ブロック副映像から副映像を生成し、前記圧縮データと、前記副映像とを用いて、副映像情報を含むストリームを生成し、前記副映像情報を含むストリームを前記記録媒体に記録し、前記記録媒体に記録されたストリームより前記映像、音声および前記副映像を再生する、ことを特徴としたものである。
【発明の効果】
【００３５】
本発明の情報記録再生装置、及び情報記録再生方法によれば、サブピクチャ画像を、ブロックに分割して生成し、該ブロックサブピクチャ画像は、ユーザーによる撮影中に変化しない固定ブロックか、ユーザーによる撮影中に変化する可変ブロックであるものとして扱うことにより、ＣＰＵの負荷を激減させながらサブピクチャ画像を生成することが可能となる。また、ディスクムービー等での撮影中に、人物の識別情報、年齢、学年等をも自動でサブピクチャに挿入することが可能となる。
【発明を実施するための最良の形態】
【００３６】
以下に、本発明の情報記録再生装置、及び情報記録再生方法の実施の形態を、図面とともに詳細に説明する。
【００３７】
（実施の形態１）
図１は、本発明の実施の形態１における情報記録再生装置のブロック図を示すものである。ここでは、記録メディアをＤＶＤメディアとしたディスクムービーを想定し、説明する。
【００３８】
図１において、撮像部１０１は、公知のＣＣＤ方式等のカメラであり、任意の場所を撮像し、撮像対象領域の撮像画像を継続的に取得する。Ａ／Ｄ変換部１０２は、撮像部１０１で取得したアナログ映像、音声信号のＡ／Ｄ変換を行い、デジタル映像、音声信号に変換する。圧縮部１０３は、Ａ／Ｄ変換部１０２で生成されたデジタル映像、音声信号を、ＭＰＥＧストリームに変換する。ユーザーＩ／Ｆ１０４は、ユーザーがディスクムービーを操作するためのインターフェースである。記録対象情報入力部１０５は、ユーザーＩ／Ｆ１０４を介して、入力された記録対象に関する情報である人名、呼称、生年月日等を不揮発性メモリであるメモリ１０６に格納する。計時部１０７は、日時情報を取得する。演算部１０８は、メモリ１０６に格納された生年月日と、計時部１０７で取得される日時情報をもとに、年齢を計算する。サブピクチャ生成部１０９は、メモリ１０６に格納された人名、呼称や、計時部１０７で取得した日時情報や、演算部１０８で計算された年齢をもとに、圧縮部１０３で生成されたＭＰＥＧストリームと多重化するためのブロックサブピクチャ画像データを生成する。ここで、ブロックサブピクチャ画像データとしては、固定ブロックサブピクチャ画像データ、および可変ブロックサブピクチャ画像データの生成を行う。固定ブロックサブピクチャ画像データと、可変ブロックサブピクチャ画像データの生成については、後で詳細に述べる。
【００３９】
メモリ１１０は、サブピクチャ生成部１０９でブロックサブピクチャ画像データを生成する際に使用するとともに、生成されたブロックサブピクチャ画像データを格納する。
【００４０】
ストリーム生成部１１１は、圧縮部１０３で生成された映像、音声のＭＰＥＧストリームと、サブピクチャ生成部１０９で生成されたブロックサブピクチャ画像データとを用いて、ＤＶＤメディアに記録可能なフォーマットであるＤＶＤ  Ｖｉｄｅｏ規格、もしくはＤＶＤビデオレコーディング規格に準拠した、ストリームを生成し、これを記録媒体１１３に記録する。
【００４１】
ここでは、記録媒体１１３としてはＤＶＤメディアを想定しているため、ストリーム生成部１１１は、ＤＶＤ  Ｖｉｄｅｏ規格、もしくはＤＶＤビデオレコーディング規格に準拠したストリーム（副映像情報保有ストリーム）を生成するものであるが、ストリーム生成部１１１は、記録媒体がどんな記録媒体であるかに応じて、それぞれの記録媒体に対応したフォーマットのストリームを生成する。
【００４２】
ストリームデコード部１１２は、記録媒体１１３に記録されたストリームのデコードを行う。記録媒体１１３は、ＤＶＤ−Ｒ、もしくはＤＶＤ−ＲＡＭ、もしくはＤＶＤ−ＲＷである。ここで、記録媒体１１３をＤＶＤメディアとしたが、その他、光メディア、磁気ディスク、半導体メモリであってもよい。Ｄ／Ａ変換部１１４は、ストリームデコード部１１２でデコードされたデータを、アナログ信号に変換し、出力する。
【００４３】
以上のように構成された本実施の形態１による情報記録再生装置について、以下その動作、作用を説明する。
【００４４】
まず、ユーザーが撮影を開始した場合、撮像部１０１にて任意の場所、任意の人物等が撮影された映像信号、および音声信号が、Ａ／Ｄ変換部１０２に入力される。Ａ／Ｄ変換部１０２に入力された映像信号、および音声信号は、デジタル映像、音声データに変換された後、圧縮部１０３で、ＭＰＥＧストリームに圧縮され、ストリーム生成部１１１に入力される。
【００４５】
次に、ストリーム生成部１１１においては、サブピクチャ生成部１０９でブロックに分割され、ランレングス圧縮し、メモリ１１０に格納されたブロックサブピクチャ画像データを、メモリ１１０から読み出し、映像、音声のＭＰＥＧストリームと、ブロックサブピクチャ画像データを組み合わせて作成してなるサブピクチャ画像データとを多重化し、記録媒体１１３に記録する。
【００４６】
ここで、ブロックサブピクチャ画像データには、ユーザーによる撮影中に変化しない固定ブロックサブピクチャ画像データと、ユーザーによる撮影中に変化する可変ブロックサブピクチャ画像データとがある。また、固定ブロックサブピクチャ画像データにおいて、記録対象情報入力部１０５で入力された情報毎に複数のブロックに分割する。
【００４７】
また、ストリーム生成部１１１では、前記映像、音声、および副映像を用いて、ＤＶＤ  Ｖｉｄｅｏ規格、もしくはＤＶＤビデオレコーディング規格に準拠したフォーマットで、ストリームを生成する。
【００４８】
記録媒体１１３に記録されたストリームを再生する場合、ストリームデコード部１１２は、記録媒体１１３に記録されたデータを読み出し、ストリームのデコードを行い、Ｄ／Ａ変換部１１４に出力する。
【００４９】
Ｄ／Ａ変換部１１４は、入力されたデジタルデータを、アナログデータに変換し、出力する。ストリームデコード部１１２におけるサブピクチャのデコードについては、ＤＶＤ  Ｖｉｄｅｏ規格、もしくはＤＶＤレコーディング規格に準拠したサブピクチャに関する情報に応じて、サブピクチャのデコードを行い、サブピクチャ画像を映像に重ね合わせて出力する。
【００５０】
次に、サブピクチャ生成部１０９における固定ブロックサブピクチャ画像データ、可変ブロックサブピクチャ画像データの生成について、図１、図２を用いて説明する。
【００５１】
まず、記録対象情報入力部１０５において、ユーザーが登録したい人物の名前や、「父」「母」「長男」「次男」といった呼称や、その人物の生年月日等を入力し、メモリ１０６に記憶させて登録しておく。ここで登録する情報としては、ここで挙げた情報以外の個人情報を入力してもよいし、また、人物以外の情報を入力してもよい。
【００５２】
次に、ユーザーによりディスクムービーの電源が入れられるたびに、上記のように登録された人物の生年月日を呼び出し、その生年月日と、計時部１０７で取得される日時情報とをもとに、ディスクムービーに電源が入れられたときのその人物の年齢、学年等を、演算部１０８で計算する。
【００５３】
図２は、ブロック毎に分割されたブロックサブピクチャ画像の例である。
ここでは、例として、記録対象情報入力部１０５では、「父」「母」「長男」「次男」といった呼称と、それぞれの生年月日が登録されているものとする。
【００５４】
固定ブロックサブピクチャ画像２０１は、記録対象情報入力部１０５で登録された呼称である「父」と、記録対象情報入力部１０５で入力された父の生年月日と、計時部１０７で取得できる日時情報とをもとに、演算部１０８で演算される年齢の情報を、ビットマップ化し、固定ブロックサブピクチャ画像を生成する。
【００５５】
固定ブロックサブピクチャ画像２０２、２０３、２０４においても同様に、「母」「長男」「次男」について、それぞれの情報をビットマップ化し、固定ブロックサブピクチャ画像（父  ４０才、母  ３９才、長男  １２才、次男  １０才）を生成する。
【００５６】
次に、それぞれビットマップ化された固定ブロックサブピクチャ画像をランレングス圧縮し、固定ブロックサブピクチャ画像データを生成し、メモリ１１０に格納する。ここで、固定ブロックサブピクチャ画像データは、ユーザーによりディスクムービーの電源が入れられ、撮影していないときに生成する。
【００５７】
次に、可変ブロックサブピクチャ画像２０５は、ユーザーが撮影を開始した時に生成する。
可変ブロックサブピクチャ画像２０５は、計時部１０７で取得される日時情報をもとにその情報をビットマップ化し、可変ブロックサブピクチャ画像（2004/08/23  15:20）を生成する。
【００５８】
さらに、可変ブロックサブピクチャ画像をランレングス圧縮し、可変ブロックサブピクチャ画像データを生成し、メモリ１１０に格納する。
【００５９】
ここで、可変ブロックサブピクチャ画像データ２０５（2004/08/23  15:20）については、日時情報（2004/08/23  15:20の情報そのもの）が更新されるたびに、可変ブロックサブピクチャ画像データ２０５（2004/08/23  15:20）も更新し、生成する。ここでは、例として、日付情報（2004/08/23）も、可変ブロックサブピクチャ画像であるとしたが、この日付情報は、固定ブロックサブピクチャ画像とし、時間情報（15:20）のみが、可変ブロックサブピクチャ画像であるとしてもよい。
【００６０】
また、上記固定ブロックサブピクチャ画像２０１〜２０４においては、年齢を用いているが、撮影中に誕生日になり、年齢が変わる場合がある。その場合は、年齢が変わった時点で、年齢の変わった固定ブロックサブピクチャ画像２０１〜２０４のみを更新し、生成する。また、日付情報を固定ブロックサブピクチャ画像データとした場合は、撮影中に日付が変わった場合、日付情報に関する固定ブロックサブピクチャ画像データ（2004/08/23）を更新し、生成するようにすればよい。
【００６１】
ユーザーが撮影を開始した際、これらメモリ１１０に格納された固定ブロックサブピクチャ画像データ及び、可変ブロックサブピクチャ画像データを組み合わせて、ストリーム生成部１１１において映像、音声のＭＰＥＧストリームに多重化するサブピクチャ画像データとして用いる。
【００６２】
ここで、それぞれのデータをビットマップ化する方法としては、固定ブロックサブピクチャ画像の生成、可変ブロックサブピクチャ画像の生成は、ともに図示していない文字コードビットマップ変換テーブルや、ビットマップデータバッファを用いて、特開２００４−２０１１００号に開示の方法と同様の方法を用いて、ビットマップ化を行う。
【００６３】
次に、ストリーム生成部１１１における固定ブロックサブピクチャ画像データと、可変ブロックサブピクチャ画像データの組み合わせ方について、図１、図２、図３、表１を用いて説明する。
【００６４】
【表１】
2006222545.tif 000003
【００６５】
ここでは、記録媒体１１３に、ＤＶＤ  Ｖｉｄｅｏ規格に準拠したフォーマットで記録することを想定し、説明する。
【００６６】
ＤＶＤ  Ｖｉｄｅｏ規格では、ストリームに３２個までサブピクチャを挿入することができる。例として、図２における５種類のブロックサブピクチャ画像データを組み合わせて、サブピクチャ画像データを生成する。
【００６７】
５種類のブロックサブピクチャ画像データの組み合わせでは、３１種類のサブピクチャ画像データを生成することが可能であり、それら３１種類のサブピクチャ画像データを、映像、音声のＭＰＥＧストリームと多重化する。
【００６８】
まず予め、ストリーム生成部１１１において、表１に示すようなテンプレートを持たせておき、そのテンプレートをもとに、実際のサブピクチャ画像データを生成する。表１のテンプレートは、５種類のブロックサブピクチャ画像データの組み合わせ方を示している。
【００６９】
表１における固定ブロックサブピクチャ画像データ、可変ブロックサブピクチャ画像データの組み合わせに示される、（１）は図２における固定ブロックサブピクチャ画像２０１、（２）は図２における固定ブロックサブピクチャ画像２０２、（３）は図２における固定ブロックサブピクチャ画像２０３、（４）は図２における固定ブロックサブピクチャ画像２０４、（５）は可変ブロックサブピクチャ画像２０５に、それぞれ対応している。
【００７０】
例えば、サブピクチャ番号ＳＰ１３には、図２における固定ブロックサブピクチャ画像２０１の固定ブロックサブピクチャ画像データと、可変ブロックサブピクチャ画像２０５の可変ブロックサブピクチャ画像データとを組み合わせて、１つのサブピクチャ画像データを生成する。
【００７１】
サブピクチャ番号ＳＰ１４には、図２における固定ブロックサブピクチャ画像２０２の固定ブロックサブピクチャ画像データと、可変ブロックサブピクチャ画像２０５の可変ブロックサブピクチャ画像データとを組み合わせて、１つのサブピクチャ画像データを生成する。
【００７２】
このように、表１に示すようなテンプレートをもとに、映像、音声のＭＰＥＧストリームに多重化するブロックサブピクチャ画像データを決定し、メモリ１１０からそれぞれの固定ブロックサブピクチャ画像データ、可変ブロックサブピクチャ画像データを読み出し、組み合わせて、ＤＶＤ  Ｖｉｄｅｏ規格におけるサブピクチャとして、映像、音声のＭＰＥＧストリームと多重化する。
【００７３】
また、図３は、実際に固定ブロックサブピクチャ画像と、可変ブロックサブピクチャ画像を組み合わせて表示した場合の例を示している。
【００７４】
例えば、表１におけるサブピクチャ番号ＳＰ１３のサブピクチャ画像は、図３における３０１のようになる。また、サブピクチャ画像ＳＰ１４は３０２、ＳＰ１５は３０３、ＳＰ１６は３０４、のようになる。ここで、わかりやすいように、表示されるサブピクチャの画像で説明したが、実際、ストリーム生成部１１１では、映像、音声のＭＰＥＧストリームにサブピクチャを多重化する際、メモリ１１０に格納されているランレングス圧縮された固定ブロックサブピクチャ画像データと、可変ブロックサブピクチャ画像データとを読み出し、それらのデータを組み合わせて多重化する。
【００７５】
また、例として、３１種類すべてのサブピクチャを生成し、ストリームに挿入することとしたが、表１に示される３１種類のサブピクチャ画像から、ユーザーがサブピクチャとしてストリームに挿入したい画像を、ユーザーＩ／Ｆ１０４で選択し、選択されたサブピクチャのみを、ストリームに挿入することも可能である。
【００７６】
例えば、ユーザーがサブピクチャとして挿入する画像を選択できるように、サブピクチャ画像のサムネイル画像表示を行い、そのサムネイル画像からユーザーがサブピクチャとして挿入したいサブピクチャ画像を選択し、選択されたサブピクチャ画像のサブピクチャ画像データを、ストリーム生成部１１１において、映像、音声のＭＰＥＧストリームと多重化する。
【００７７】
次に、ストリーム生成部１１１においてサブピクチャが映像、音声のＭＰＥＧストリームに多重化されたストリームの構造について説明する。
【００７８】
図４は、ビデオ・オブジェクト（ＶＯＢ）の構造を示している。図４のビデオ・オブジェクト（ＶＯＢ）は、再生されるコンテンツの基本単位であるセル（ＣＥＬＬ）の集合で構成されている。
【００７９】
さらに、セルはビデオ・オブジェクト・ユニット（ＶＯＢＵ）の集合で構成される。ＶＯＢＵは、ナビパック（ＮＶ＿ＰＣＫ）、ビデオパック（Ｖ＿ＰＣＫ）、オーディオパック（Ａ＿ＰＣＫ）、サブピクチャパック（ＳＰ＿ＰＣＫ）の集合で構成される。
【００８０】
ここで、ナビパックＮＶ＿ＰＣＫにはナビゲーションデータが、ビデオパックＶ＿ＰＣＫにはビデオデータが、オーディオパックＡ＿ＰＣＫにはオーディオデータが、サブピクチャパックＳＰ＿ＰＣＫにはサブピクチャデータが、含まれている。
【００８１】
ビデオデータは、ＭＰＥＧで圧縮されたビデオエレメンタリストリームであり、通常Ｉピクチャ、Ｐピクチャ、およびＢピクチャで構成される。
【００８２】
オーディオデータは、音声の圧縮形式により圧縮されたオーディオエレメンタリストリーム、サブピクチャデータは、ビットマップデータをランレングス圧縮したデータである。
【００８３】
ＳＰ＿ＰＣＫは、パックヘッダ、パケットヘッダ、ｓｕｂ＿ｓｔｒｅａｍ＿ｉｄ、サブピクチャデータ、で構成される。ここで、パケットヘッダに含まれるｓｔｒｅａｍ＿ｉｄは、プライベートストリーム１を表すｉｄデータ（１０１１１１０１ｂ）であり、ｓｕｂ＿ｓｔｒｅａｍ＿ｉｄには、０から３１のデコーディング・サブピクチャ・ストリーム番号を含むデータを挿入する必要がある。
【００８４】
図４では、１種類のＳＰ＿ＰＣＫのみを示しているが、ＤＶＤ  Ｖｉｄｅｏ規格では３２種類のサブピクチャを挿入することが可能であり、その３２個のサブピクチャ画像を挿入する際、サブピクチャストリーム番号に応じて、ｓｕｂ＿ｓｔｒｅａｍ＿ｉｄを変える必要がある。
【００８５】
また、本実施の形態１の情報記録再生装置では、複数のサブピクチャ画像をストリームに挿入することが可能であり、さらにそのストリームを再生する際、自動的に表示されるデフォルトのサブピクチャ画像を決定することが可能である。
【００８６】
図１、表２を用いてデフォルトのサブピクチャ画像を決定するときの動作について説明する。表２は、表１のテンプレートに、デフォルト設定の項目を追加したテンプレートである。
【００８７】
【表２】
2006222545.tif 000004
【００８８】
デフォルトのサブピクチャ画像を決定する際、まず、ユーザーが撮影前にユーザーＩ／Ｆ１０４において、デフォルトのサブピクチャ画像とするサブピクチャ画像を選択する。選択されたサブピクチャに応じて、ストリーム生成部１１１で、表２に示すようなサブピクチャのテンプレートにデフォルト情報を格納する。
【００８９】
そして、撮影後に、表２のテンプレートをもとに、デフォルト情報を記録媒体１１３に記録する。ここでは、ユーザーが撮影前にデフォルトのサブピクチャ画像を選択することとしたが、撮影の途中に、デフォルトのサブピクチャを変更することも可能である。
【００９０】
その際、表２に図示していないが、変更情報も格納できるようにしておく。また、撮影されたストリームを再生する際、デフォルトで、サブピクチャ画像を表示しないようにすることも可能である。
【００９１】
次に、デフォルト情報を挿入するプログラムチェーン（ＰＧＣ）の構成について説明する。
図５は、プログラムチェーン（ＰＧＣ）の構造を示している。
【００９２】
ＰＧＣは、プログラムチェーン情報（ＰＧＣＩ）と呼ばれる再生情報と、ＰＧＣの再生に必要なＶＯＢ内のセルとで構成される。一般的なＤＶＤプレーヤーは、このＰＧＣを用いて、ＤＶＤメディアに記録されたデータを再生する。
【００９３】
ＰＧＣＩは、再生を制御するナビゲーションデータであり、ＰｒｅＣｏｍｍａｎｄ、セルＩＤ１，セルＩＤ２，セルＩＤ３，・・・，からなる再生制御ブロック、およびＰｏｓｔＣｏｍｍａｎｄ、で構成される。図５におけるＶＯＢＳは、ＶＯＢの集合である。ＶＯＢの構成は、上記のとおりである。
【００９４】
図６に、ＰＧＣＩの構造を示す。
ＰＧＣＩはプログラム・チェーン一般情報（ＰＧＣ＿ＧＩ）、プログラム・チェーン・コマンド・テーブル（ＰＧＣ＿ＣＭＤＴ）プログラム・チェーン・プログラム・マップ（ＰＧＣ＿ＰＧＭＡＰ）、セル再生情報テーブル（Ｃ＿ＰＢＩＴ）、およびセル位置情報テーブル（Ｃ＿ＰＯＳＩＴ）、で構成される。
【００９５】
ＰＧＣ＿ＧＩは、ＰＧＣに関する情報である。ＰＧＣ＿ＣＭＤＴは、ＰＧＣのＰｒｅＣｏｍｍａｎｄとＰｏｓｔＣｏｍｍａｎｄ、及びセルコマンド用の記述領域である。ＰＧＣ＿ＰＧＭＡＰは、ＰＧＣ内のプログラムの構造を示すマップである。Ｃ＿ＰＢＩＴは、ＰＧＣ内セルの再生順を定義するテーブルであり、Ｃ＿ＰＯＳＩＴは、ＰＧＣに使われているセルのＶＯＢＩＤ番号とセルＩＤ番号を記述する。
【００９６】
また、一般的なＤＶＤプレーヤーでは、システムパラメータ（ＳＰＲＭ（０〜２３））を持っており、システムパラメータに従い、再生動作を行う。
【００９７】
すなわち、サブピクチャ画像を再生させる際、ＳＰＲＭ（２）のパラメータを用いる。ここで、ＤＶＤプレーヤーの持つパラメータであるＳＰＲＭ（２）を書き換えるには、図６で示したＰＧＣ＿ＣＭＤＴのＰｒｅＣｏｍｍａｎｄにＳＰＲＭ（２）の情報を記述することにより、ＤＶＤプレーヤーで再生させる際、ＳＰＲＭ（２）が書き換えられる。
【００９８】
図７に、ＳＰＲＭ（２）の構成を示す。ＳＰＲＭ（２）は、２バイトで構成され、ＳＰ＿ｄｉｓｐ＿ｆｌａｇは、サブピクチャの表示／非表示を決定し、０のときサブピクチャ表示は不能であり、１のときサブピクチャ表示は可能である。また、ＳＰＳＴＮは、表示サブピクチャのストリーム番号である。従って、表２に示すように、ＳＰ２をデフォルトのサブピクチャ画像としたい場合、ＤＶＤプレーヤーで、ＳＰＲＭ（２）のＳＰ＿ｄｉｓｐ＿ｆｌａｇに１（２進数）、ＳＰＳＴＮに００００１０（２進数）を書き込むように、図６で示したＰＧＣ＿ＣＭＤＴのＰｒｅＣｏｍｍａｎｄに、ナビゲーションコマンドをセットするようにすればよい。
【００９９】
そのナビゲーションコマンドとしては、システムパラメータを設定するＳｅｔＳｙｓｔｅｍインストラクショングループのＳｅｔＳＴＮインストラクションが知られている。
【０１００】
また、同様に、デフォルトでサブピクチャを表示しないようにするには、ＳＰＲＭ（２）のＳＰ＿ｄｉｓｐ＿ｆｌａｇに０（２進数）を書き込むように、ＰｒｅＣｏｍｍａｎｄにナビゲーションコマンドをセットすればよい。
【０１０１】
このように、ナビゲーションコマンドを用いることにより、デフォルトのサブピクチャの設定を行ったり、デフォルトでサブピクチャを表示しないようにする、ことが可能となる。詳細については、ＤＶＤ  Ｖｉｄｅｏ規格に記載されている。
【０１０２】
図８は、本実施の形態１におけるディスクムービーにおいて、電源を入れた後の動作のフローチャートである。
【０１０３】
まず、電源をＯＮにし（ステップＳ８０１）、記録対象情報が登録されているかを確認する（ステップＳ８０２）。
【０１０４】
記録対象情報が登録されていなければ、ユーザーがユーザーＩ／Ｆ１０４を介して入力した記録対象情報をメモリ１０６に格納する（ステップＳ８０３）。
【０１０５】
次に、ステップＳ８０２で記録対象情報が登録されているか、もしくはステップＳ８０３で記録対象情報の登録が完了した場合、メモリ１０６に格納された記録対象情報として登録された生年月日、および計時部１０７で取得した日時情報をもとに、演算部１０８で計算された年齢と、記録対象情報として登録された呼称を用いて、図２の２０１〜２０４のような固定ブロックサブピクチャ画像の固定ブロックサブピクチャ画像データを生成し、メモリ１１０に格納する（ステップＳ８０４）。
このように、電源が入れられたときに、固定ブロックサブピクチャ画像データを生成する。
【０１０６】
次に、図９は、ユーザーがデフォルトのサブピクチャ画像を選択するときのフローチャートである。
【０１０７】
図８で示した動作を行った後、まず、ユーザーがデフォルトのサブピクチャ画像を選択できるように、選択用のサブピクチャ画像のサムネイル画像を生成し、そのサムネイル画像をユーザーＩ／Ｆに表示する（ステップＳ９０１）。
【０１０８】
この時点で、可変ブロックサブピクチャ画像データは生成されていないので、時間情報であることのわかる仮の可変ブロックサブピクチャ画像データを生成し、固定ブロックサブピクチャ画像データと組み合わせて、サムネイル画像を生成する。
【０１０９】
次に、ユーザーがデフォルトのサブピクチャ画像を選択する（ステップＳ９０２）。ここで、ユーザーはデフォルトでサブピクチャ画像を表示しないようにすることを指定することも可能である。
【０１１０】
次に、選択されたサブピクチャ画像をもとに、表２に示すテンプレートを更新する（ステップＳ９０３）。
【０１１１】
図１０は、本実施の形態１におけるディスクムービーにおいて、撮影を開始したときのフローチャートである。
【０１１２】
まず、撮影開始し（ステップＳ１００１）、計時部１０７で取得した日時情報を用いて、図２の２０５のような可変ブロックサブピクチャ画像データを生成する（ステップＳ１００２）。
【０１１３】
次に、計時部１０７で取得した日時情報をもとに、時間が更新したか否かを判定する（ステップＳ１００３）。
【０１１４】
時間が更新されていれば、更新された日時情報を用いて、可変ブロックサブピクチャ画像データを生成し、メモリ１１０に格納する（ステップＳ１００４）。
更新されていなければ、可変ブロックサブピクチャの生成は行わない。
【０１１５】
次に、ステップＳ１００４で可変ブロックサブピクチャの更新が終了するか、もしくは、ステップＳ１００３で時間の更新がない場合、撮影された映像、音声のＭＰＥＧストリームを、圧縮部１０３で生成する（ステップＳ１００５）。
【０１１６】
次に、メモリ１１０に格納された固定ブロックサブピクチャ画像データと、可変ブロックサブピクチャ画像データを、表２のテンプレートをもとに組み合わせて生成したサブピクチャ画像データと、生成された映像、音声のＭＰＥＧストリームとの多重化を行い（ステップＳ１００６）、その多重化されたストリームを、記録媒体１１３に記録する（ステップＳ１００７）。
【０１１７】
次に、撮影を終了するか否かの判定を行い（ステップＳ１００８）、ユーザーにより撮影が終了された場合、記録された映像、音声、及びサブピクチャを再生するための情報であるＰＧＣＩを、記録媒体１１３に記録する（ステップＳ１００９）。
【０１１８】
ここで、ユーザーにより、デフォルトのサブピクチャ画像が選択されている場合、表２のテンプレートのデフォルト情報をＰＧＣＩに反映し、そのＰＧＣＩを、記録媒体１１３に記録する。ステップＳ１００８で、撮影が終了されない場合は、再度ステップＳ１００３に戻る。
このようなフローを用いて、本実施の形態１におけるディスクムービーにおいて、撮影を行う。
【０１１９】
なお、上記実施の形態１では、ＤＶＤ  Ｖｉｄｅｏ規格で、記録媒体１１３に記録することを想定し説明してきたが、同様の方法を用いて、ＤＶＤビデオレコーディング規格に準拠したフォーマットで、サブピクチャ画像データを映像、音声のＭＰＥＧストリームに多重化し、記録媒体１１３に記録することも可能である。
【０１２０】
以上のように本発明の実施の形態１においては、サブピクチャ画像を、ブロックに分割して生成し、ここで該サブピクチャ画像は、ユーザーによる撮影中に変化しない固定ブロックサブピクチャ画像データか、ユーザーによる撮影中に変化する可変ブロックサブピクチャ画像データのいずれかとして生成し、これらのブロックサブピクチャー画像を組み合わせてサブピクチャ画像を生成するようにしたので、サブピクチャとしてストリームに日時情報を挿入するような場合においても、日時情報が更新される毎にサブピクチャ画像全体を生成し直す必要はなく、上記ブロックに分割したうちの所要部分のみを作成し直すようにすればよく、ＣＰＵの負荷を激減させてサブピクチャを生成することが可能となる。
【０１２１】
しかも、ディスクムービーでの撮影中に、人物の識別情報、年齢、学年等をも、自動で容易にサブピクチャ内に挿入することが可能となるため、ＤＶＤメディアを記録媒体としたディスクムービーにおいて撮影されたデータを一般的なＤＶＤプレーヤーで再生する際にも、容易に、撮影された人物の個人情報、及び、撮影された日時を確認できるようになる効果が得られる。
【産業上の利用可能性】
【０１２２】
本発明にかかる情報記録方法、及び情報記録再生装置は、撮影中に人物の識別情報、年齢、学年を、ＤＶＤ  Ｖｉｄｅｏ規格、ＤＶＤビデオレコーディング規格におけるサブピクチャに自動で挿入することが可能であり、ランダムアクセス可能な記録媒体に記録を行う情報記録再生装置において有用である。
【図面の簡単な説明】
【０１２３】
【図１】本発明の実施の形態１による情報記録再生装置のブロック図
【図２】本発明の実施の形態１におけるブロックサブピクチャ画像の例を示す図
【図３】本発明の実施の形態１におけるブロックサブピクチャ画像を組み合わせたサブピクチャ画像の例を示す図
【図４】本発明の実施の形態１におけるビデオオブジェクト（ＶＯＢ）の構造図
【図５】本発明の実施の形態１におけるプログラムチェーン（ＰＧＣ）の構造図
【図６】本発明の実施の形態１におけるプログラムチェーン情報（ＰＧＣＩ）の構造図
【図７】本発明の実施の形態１におけるシステムパラメータＳＰＲＭ（２）の構成図
【図８】本発明の実施の形態１による情報記録再生装置の電源ＯＮ時のフローチャート
【図９】本発明の実施の形態１におけるデフォルトのサブピクチャ画像を選択するときのフローチャート
【図１０】本発明の実施の形態１における撮影を開始したときのフローチャート
【符号の説明】
【０１２４】
１０１  撮像部
１０２  Ａ／Ｄ変換部
１０３  圧縮部
１０４  ユーザーＩ／Ｆ
１０５  記録対象情報入力部
１０６  メモリ
１０７  計時部
１０８  演算部
１０９  サブピクチャ生成部
１１０  メモリ
１１１  ストリーム生成部
１１２  ストリームデコード部
１１３  記録媒体
１１４  Ｄ／Ａ変換部
２０１  固定ブロックサブピクチャ画像の例
２０２  固定ブロックサブピクチャ画像の例
２０３  固定ブロックサブピクチャ画像の例
２０４  固定ブロックサブピクチャ画像の例
２０５  可変ブロックサブピクチャ画像の例
３０１  ブロックサブピクチャ画像を組み合わせたサブピクチャ画像の例
３０２  ブロックサブピクチャ画像を組み合わせたサブピクチャ画像の例
３０３  ブロックサブピクチャ画像を組み合わせたサブピクチャ画像の例
３０４  ブロックサブピクチャ画像を組み合わせたサブピクチャ画像の例
【図１】
2006222545.tif 000005
【図２】
2006222545.tif 000006
【図３】
2006222545.tif 000007
【図４】
2006222545.tif 000008
【図５】
2006222545.tif 000009
【図６】
2006222545.tif 000010
【図７】
2006222545.tif 000011
【図８】
2006222545.tif 000012
【図９】
2006222545.tif 000013
【図１０】
2006222545.tif 000014